(57)【要約】【課題】  複数種類の形状や大きさの板状の部材を簡便に固定することができる汎用性の高い板運搬用パレットを提供すること。【解決手段】  このパレット１は、板状の被運搬物を載置する載置領域２０ａを形成する載置部２０と、載置領域２０ａを含む面に沿うと共に、載置領域２０ａの内側から外側に向かう方向に沿って配置されるレール３０と、レール３０に沿って摺動し、レール３０上の任意の位置において固定可能なように構成されると共に、載置領域２０ａを含む面から当該面と交わる方向に延びる保持部４１を有するストッパ４０とを備える【選択図】  図１
2007308169.tif 000002
【特許請求の範囲】
【請求項１】
板状の被運搬物を載置する載置領域を形成する載置部を備える板運搬用パレットであって、
前記載置領域を含む面に沿うと共に、前記載置領域の内側から外側に向かう方向に沿って配置されるレールと、
前記レールに沿って摺動し、前記レール上の任意の位置において固定可能なように構成されると共に、前記載置領域を含む面から当該面と交わる方向に延びる保持部を有するストッパと、を備える板運搬用パレット。
【請求項２】
前記載置部は、横桟部と縦桟部とで格子状を形成する桟部を有する請求項１記載の板運搬用パレット。
【請求項３】
前記載置領域を含む面の一方の側に当該面と交わる方向に沿って配置される脚部と、前記載置領域を含む面を基準に前記脚部の反対側に配置される係合凹部と、を備える請求項１又は２何れかに記載の板運搬用パレット。
【請求項４】
前記係合凹部は、前記載置領域を含む面より突出して配置される請求項３記載の板運搬用パレット。
【発明の詳細な説明】
【技術分野】
【０００１】
本発明は、板運搬用パレットに関する。
【背景技術】
【０００２】
従来、工場内等において、鋼板のような比較的大きくて重量がある板状の部材を運搬する場合、このような板状の部材をパレットに載置してフォークリフト等で運搬することが行われている。この従来の技術は文献公知発明に係るものではないので、図７に従来の板運搬用パレットを示して説明する。
【０００３】
図７に示すパレット１００は、複数本の下枠９１と複数本の上枠９２とを井桁状に上下に組み合わせ、溶接により固定されている。板状の部材は上枠９２上に置かれてワイヤ等で括り付けられている。
【発明の開示】
【発明が解決しようとする課題】
【０００４】
鋼板のような板状の部材はその用途に応じて様々な形状や大きさのものがある。従来の板運搬用パレットは板状の部材の形状や大きさに合わせて、それぞれに対応する形状や大きさのパレットを準備する必要があった。また、板状の部材のパレットへの固定もワイヤ等で括り付けているので、決して作業性が良いものではなかった。
【０００５】
そこで本発明では、複数種類の形状や大きさの板状の部材を簡便に固定することができる汎用性の高い板運搬用パレットを提供することを目的とする。
【課題を解決するための手段】
【０００６】
本発明に係る板運搬用パレットは、板状の被運搬物を載置する載置領域を形成する載置部を備える板運搬用パレットであって、載置領域を含む面に沿うと共に、載置領域の内側から外側に向かう方向に沿って配置されるレールと、レールに沿って摺動し、レール上の任意の位置において固定可能なように構成されると共に、載置領域を含む面から当該面と交わる方向に延びる保持部を有するストッパと、を備える。
【０００７】
本発明によれば、載置領域の内側から外側に向かう方向に沿って配置されるレールに沿って摺動するストッパを備えているので、板状の被運搬物の形状や大きさに応じてストッパの位置を調整することができる。また、ストッパは、載置領域を含む面から当該面と交わる方向に延びる保持部を有しているので、板状の被運搬物の側面を確実に保持することができる。従って、様々な形状や大きさの板状の被運搬物を簡便にパレットに固定することができる。
【０００８】
また、本発明に係る板運搬用パレットは、載置部が、横桟部と縦桟部とで格子状を形成する桟部を有していることが好ましい。
【０００９】
本発明のこの好ましい板運搬用パレットによれば、桟部は縦桟部と横桟部とが格子状になるように連結されているので、十分な強度を保つことができると共に、少ない部材で載置領域を形成することができる。従って、パレットの強度を維持しつつ軽量化を図ることができる。
【００１０】
また、本発明に係る板運搬用パレットは、載置領域を含む面の一方の側に当該面と交わる方向に沿って配置される脚部と、載置領域を含む面を基準に脚部の反対側に配置される係合凹部と、を備えることが好ましい。
【００１１】
本発明のこの好ましい板運搬用パレットによれば、載置領域を含む面と交わる方向に沿った線上に脚部と係合凹部とが配置されているので、同一形状のパレットを重ねた場合、一のパレットの脚部の先端部と、他のパレットの係合凹部との位置が一致することになる。従って、同一形状の複数のパレットを確実に積み重ねることができる。
【００１２】
また、本発明に係る板運搬用パレットは、係合凹部は、載置領域を含む面より突出して配置されることが好ましい。
【００１３】
本発明のこの好ましい板運搬用パレットによれば、係合凹部が、載置領域を含む面に対して突出しているので、係合凹部が配置される部分以外に載置領域が形成されることになる。従って、同一形状のパレットを複数重ねた場合であっても、他のパレットの脚部によって被運搬物を傷つけることなく被運搬物の品質を保つことができる。
【発明の効果】
【００１４】
本発明によれば、複数種類の形状や大きさの鋼板のような板状の部材を簡便に固定することができる。
【発明を実施するための最良の形態】
【００１５】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１６】
（第１の実施形態）図１及び図２を参照して、本発明の第１の実施形態である、パレットについて説明する。図１は本実施形態のパレットの外観を示す図である。図１に示すように、本実施形態のパレット１は、載置部２０と、レール３０と、ストッパ４０とを備える。以下、各構成について詳細に説明する。
【００１７】
載置部２０は、桟部２１と外枠部２２とを備えている。桟部２１は、それぞれが平行に並んだ４本の横桟部２１１、２１２、２１３、２１４と、これら横桟部２１１、２１２、２１３、２１４に直交し、それぞれが平行に並んだ４本の縦桟部２１５、２１６、２１７、２１８とを備え、格子状を形成している。また、縦桟部２１５、２１６、２１７、２１８は、それぞれ分割されて横桟部２１１、２１２、２１３、２１４の側面に連結されており、横桟部２１１、２１２、２１３、２１４の上面と、縦桟部２１５、２１６、２１７、２１８の上面とは、ほぼ同一平面になるように構成されている。縦桟部２１５を例にすると、縦桟部２１５は、縦桟部材２１５ａ、２１５ｂ、２１５ｃ、２１５ｄ、２１５ｅの５部材に分割されている。そして、縦桟部材２１５ａはその一の端部が横桟部２１１の一の側面（外側の側面）に連結される。また、縦桟部材２１５ｂは横桟部２１１の他の側面から横桟部２１２の一の側面に渡り連結され、縦桟部材２１５ｃは横桟部２１２の他の側面から横桟部２１３の一の側面に渡りに連結され、縦桟部材２１５ｄは横桟部２１３の他の側面から横桟部２１４の一の側面に渡りに連結される。更に、縦桟部材２１５ｅはその一の端部が横桟部２１４の他の側面に連結される。
【００１８】
外枠部２２は、桟部２１を取り囲むように設けられている。外枠部２２は、横枠部２２１、２２２と、横枠部２２１、２２２よりも短い縦枠部２２３、２２４とが長方形の４辺を構成するように、それぞれの両端部で連結されている。そして、格子状の桟部２１の端部と外枠部２２の内側面とが連結されている。
【００１９】
なお、部材の連結は、例えば溶接等により行われる。また、桟部２１及び外枠部２２は断面矩形状の金属角材からなる。
【００２０】
本実施形態においては、載置部２０は桟部２１を外枠部２２で囲うような構成となっているが、板状の被載置物を支えるのは桟部２１の上面の一部であるので、載置部２０は、後述する板状の被載置物を載置する載置領域２０ａを確保できれば格子状の桟部２１のみで外枠部２２を除いた構成としても良い。
【００２１】
また、載置部２０は、板状の被運搬物を載置する載置領域２０ａを形成する。載置領域２０ａ（図１の中で、破線で取り囲まれ、破線でハッチングされた矩形状の領域）は、板状の被運搬物が載置部２０に載置され得る領域であって、被運搬物の大きさや形状により変動する。具体的には、載置領域２０ａは、被運搬物をその側面から保持するストッパが取り囲んだ矩形状の領域であり、ストッパの可動範囲において変動する。
【００２２】
また、レール３０は、矩形状の載置領域２０ａを含む面に沿うと共に、矩形状の載置領域２０ａの内側から外側に向かう方向に沿って配置される。具体的には、レール３０１、３０２は、縦桟部２１５から縦枠部２２３に渡り設けられ、レール３０３、３０４は、縦桟部２１８から縦枠部２２４に渡り設けられる。また、レール３０５は、横桟部２１１から横枠部２２１に渡り設けられ、レール３０６は、横桟部２１４から横枠部２２２に渡り設けられる。そして、それぞれのレール３０上には保持部４１を備えたストッパ４０が設けられる。
【００２３】
図２に本発明に係るレール３０及びストッパ４０の図を示す。レール３０は、断面矩形状の金属角材の一面の中央長手方向にスリット３１を有し、スリット３１は載置領域２０ａを含む面に沿って設けられる。
【００２４】
レール３０上には、レール３０に沿って摺動し、レール３０上の任意の位置において固定可能なようにストッパ４０が設けられる。
【００２５】
ストッパ４０は、被運搬物を保持するための保持部４１と、保持部４１をレール３０に固定するための固定部４２とを備える。保持部４１は断面Ｌ字状の部材で被運搬物の側面に当接する当接部４１１とレール３０のスリット３１が設けられた面に対して摺動する摺動部４１２とを備え、摺動部４１２には固定部４２を挿通するための貫通孔４１３を備える。なお、保持部４１の形状はレール３０に設置された場合に、載置領域２０ａを含む面から当該面と交わる方向に延びる形状であれば断面Ｌ字状に限らない。
【００２６】
固定部４２は、ボルト４２１とナット４２２とを備える。ボルト４２１とナット４２２は、固定部４２をレール３０に沿って摺動させると共に、固定部４２をレール３０に固定させる役割を持つ。すなわち、ボルト４２１の頭部をレール３０内部に遊嵌させると共に、ボルト４２１の胴部をレール３０のスリット３１から上方に突出させ、突出したボルト４２１の胴部を保持部４１の貫通孔４１３に挿通させ、ボルト４２１の軸部にナット４２２を取り付けることにより、保持部４１はレール３０から離れることなくレール３０に沿って摺動させることができる。また、ナット４２２を締め付けることにより、保持部４１をレール３０に固定することができる。
【００２７】
次に、図３にパレット１に板状の被運搬物（鋼板）を載置した状態を示す。板状の被運搬物Ａを載置部２０の載置領域（図中被載置部Ａの裏面に沿った領域）に置き、板状の被運搬物Ａを取り囲むように設けたストッパ４０を被運搬物Ａの側面に当接するように摺動させる。その後、ストッパ４０の固定部４２のナット４２２を締め付けることによりストッパ４０がレール３０に固定され、板状の被運搬物Ａがパレット１に載置される。なお、ストッパの保持部は、載置領域を含む面から当該面と交わる方向に延びているので、更に同様の形状の板状の被運搬物を重ねて載置することもできる。
【００２８】
なお、本実施形態において、桟部２１は、縦桟部と横桟部とがそれぞれ４本ずつで構成されているが、少なくとも２本ずつで構成されていれば良い。縦桟部、横桟部２本ずつ備えていれば格子状を形成することができ、板状の被運搬物を安定して載置させることができる。また、本実施形態は、ストッパ４０を各縦枠部に二つずつ、各横枠部に一つずつ設けているが、被運搬物が運搬中にズレない程度におさえることができれば良く、少なくとも四方からそれぞれ一つずつのストッパを備えていれば良い。
【００２９】
以上のように、本実施形態によれば、載置領域２０ａの内側から外側に向かう方向に沿って配置されるレール３０に沿って摺動するストッパ４０を備えているので、板状の被運搬物の形状や大きさに応じてストッパ４０の位置を調整することができる。また、ストッパ４０は、載置領域２０ａを含む面から当該面と交わる方向に延びる保持部４１を有しているので、板状の被運搬物の側面を確実に保持することができる。従って、様々な形状や大きさの板状の被運搬物を簡便にパレットに固定することができる。
【００３０】
また、載置部２０が、桟部２１を有し、桟部２１は横桟部２１１、２１２、２１３、２１４と縦桟部２１５、２１６、２１７、２１８が格子状になるように連結されているので、十分な強度を保つことができると共に、少ない部材で載置領域２０ａを形成することができる。従って、パレット１の強度を維持しつつ軽量化を図ることができる。
【００３１】
（第２の実施形態）図４〜図６を参照して、本発明の第２の実施形態である、パレットについて説明する。本実施形態は第１の実施形態に係るパレットを複数積み重ねることができるように、第１の実施形態のパレットに所定の脚部と係合凹部を備えている。
【００３２】
図４は本実施形態のパレットの外観を示す図である。図４に示すように、本実施形態のパレット１０は、第１の実施形態のパレットに加えて、外枠部２２（載置部２０）の四隅から載置領域２０ａを含む面に交わりかつ載置領域２０ａを含む面に対して下方に延びた脚部５０が設けられている。また、本実施形態では、横枠部２２１、２２２の下面の中央部から下方に伸びる脚部５１が設けられている。脚部５０、５１は断面矩形状の金属角材からなる。
【００３３】
また、載置領域２０ａを含む面を基準として、四隅に設けられた脚部５０に対しそれぞれの反対側（外枠部２２の四隅上面）に、載置領域２０ａを含む面に交わりかつ載置領域２０ａを含む面に対して上方に開口した係合凹部６０が設けられている。また、係合凹部６０は、載置領域２０ａを含む面から当該面に対して上方に突出して配置されている。
【００３４】
図５は本実施形態のパレットの係合凹部を示す図である。図５に示すように、係合凹部６０は、他のパレットの脚部５０を載せるための角部が面取りされた矩形状の内部底面６１を備える。また、係合凹部６０は、開口方向に向かって外側に傾斜した側壁部６２を備え、内部底面６１よりも大きな矩形状の開口端部６３を備えている。側壁部６２は、他のパレットの脚部が係合する際にその脚部をガイドするものである。また、他のパレットを重ねた後においては、脚部が載置された状態から動くことを防止する役割もある。なお、本実施形態においては、パレットの脚部５０が断面矩形状であるために、断面矩形状の内部底面６１及び開口端部６３をこれに準じた形状としたが、パレットの脚部の断面形状に応じて適宜変更しても良い。例えば、パレットの脚部が断面円形状であれば、断面円形状の内部底面及び開口端部としても良い。
【００３５】
図６は本実施形態のパレットについて複数積み重ねた状態を示す側面図である。図６に示すように、パレット１０の四隅に設けられた脚部５０の先端部が他のパレットの四隅に設けられた係合凹部６０に係合されることにより、同一構成の別のパレットを複数積み重ねることができる。
【００３６】
なお、本実施形態の他、脚部５０は載置領域２０ａを含む面に交わりかつ載置領域２０ａに対して上方に延びるように設け、係合凹部６０は載置領域２０ａを含む面を基準として、四隅に設けられた脚部５０に対しそれぞれの反対側（外枠部２２の四隅下面）に設けても良い。
【００３７】
また、図４に示すように、パレット１０は、更に、横枠部２２１、２２２のそれぞれの下面にＵ字状のフォークガイド７０を備えても良く、横枠部２２１、２２２の外側面の両端部付近にフック８０を備えても良い。
【００３８】
以上のように、本実施形態によれば、載置領域２０ａを含む面と交わる方向に沿った線上脚部５０と係合凹部６０とが配置されているので、同一形状のパレットを重ねた場合、一のパレットの脚部の先端部と、他のパレットの係合凹部との位置が一致することになる。従って、同一形状の複数のパレットを確実に積み重ねることができる。
【００３９】
また、本実施形態によれば、係合凹部６０が、載置領域２０ａを含む面に対して突出しているので、係合凹部６０が配置された部分以外に載置領域が形成されることになる。従って、同一形状のパレットを複数重ねた場合であっても、他のパレットの脚部によって被運搬物を傷つけることなく被運搬物の品質を保つことができる。
【００４０】
また、係合凹部６０は開口方向に向かって外側に傾斜した側壁部６２を備えているので、他のパレットの脚部５０を係合する際に及び載置後において位置ズレを防止することができる。
【００４１】
また、脚部５０を設けているので、フォークリフトのフォークをパレットの下部に入れることができる。また、横枠部２２１、２２２のそれぞれの下面にＵ字状のフォークガイド７０を設けているので確実にフォークをパレット下部に導入することができる。
【図面の簡単な説明】
【００４２】
【図１】本発明の第１の実施形態であるパレットの外観を示す図である。
【図２】本発明の第１の実施形態であるパレットのレール及びストッパを示す図である。
【図３】図１に示したパレットに板状の被運搬物を載置した状態を示す図である。
【図４】本発明の第２の実施形態であるパレットの外観を示す図である。
【図５】本発明の第２の実施形態であるパレットの係合凹部を示す図である。
【図６】図４に示したパレットについて複数積み重ねた状態を示す側面図である。
【図７】従来のパレットの外観を示す図である。
【符号の説明】
【００４３】
１、１０…パレット、２０…載置部、２１…桟部、３０…レール、４０…ストッパ、５０…脚部、６０…係合凹部
【図１】
2007308169.tif 000003
【図２】
2007308169.tif 000004
【図３】
2007308169.tif 000005
【図４】
2007308169.tif 000006
【図５】
2007308169.tif 000007
【図６】
2007308169.tif 000008
【図７】
2007308169.tif 000009